(57)【要約】      （修正有）【課題】商品の受贈者、贈与者双方の満足度が高く、かつ、受贈者がコンピュータ端末を使用しないような場合でもあっても有効に適用できるカタログ選択商品贈与システムを提供する。【解決手段】カタログ選択商品贈与システムは、Ｗｅｂサイトを利用して受贈者へ贈与すべき複数種の商品情報、受贈者への電報文情報、支払い決済情報を送信する贈与者の贈与者端末と、贈与者端末への多数の贈与商品情報の提供、贈与者端末からの情報に基づき複数種の商品情報を掲載したカタログ、電報文書を作成し、カタログと電報文書と申し込み葉書とを受贈者へ配送する処理、受贈者が選択した特定商品情報の連絡を受けて当該特定商品の受贈者への配送手配処理、贈与者、商品販売業者に関する決済処理を行ない贈与品管理センターの管理センターコンピュータと、受贈者へ特定商品の配達処理を行ない商品販売業者の商品販売業者端末と、を有するものである。【選択図】図１
2009009349.tif 000002
【特許請求の範囲】
【請求項１】
Ｗｅｂサイトから提供される多数の贈与商品情報から受贈者へ贈与すべき複数種の商品情報を選択し送信するとともに、支払い決済情報を送信する贈与者の贈与者端末と、
贈与者端末へのＷｅｂサイトによる多数の贈与商品情報の提供、前記贈与者端末から送信される複数種の商品情報を基に当該複数種の商品情報を掲載したカタログをオンデマンド方式で作成し、このカタログを受贈者へ配送する処理、受贈者からの前記カタログから選択された特定商品情報の連絡を受けて商品販売業者に対する当該特定商品の受贈者への配送手配処理、前記贈与者に関して前記支払い決済情報に基づいた複数種の商品情報受注チェック時における前金決済処理及び受贈者への特定商品配達後における残金決済処理、商品販売業者との間における商品代金決済処理を行ない贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項２】
Ｗｅｂサイトから提供される多数の贈与商品情報から受贈者へ贈与すべき複数種の商品情報を選択し送信するとともに、受贈者への贈呈の意を表す電報文情報、支払い決済情報を送信する贈与者の贈与者端末と、
贈与者端末へのＷｅｂサイトによる多数の贈与商品情報の提供、前記贈与者端末から送信される複数種の商品情報を基に当該複数種の商品情報を掲載したカタログをオンデマンド方式で作成し、前記電報文情報を基に電報文書を作成して、前記カタログと電報文書と申し込み葉書とを贈呈商品案内箱に入れて受贈者へ配送する処理、受贈者からの前記カタログから選択された特定商品情報の申し込み葉書による連絡を受けて商品販売業者端末に対する当該特定商品の受贈者への配送手配処理、前記贈与者に関して支払い決済情報に基づいた複数種の商品情報受注時における前金決済処理及び受贈者への特定商品配達後における残金決済処理、商品販売業者との間における商品代金決済処理を行ない贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項３】
Ｗｅｂサイトから提供される多数の贈与商品情報から受贈者へ贈与すべき複数種の商品情報を選択し送信するとともに、受贈者への贈呈の意を表す電報文情報、支払い決済情報を送信する贈与者の贈与者端末と、
贈与者端末へのＷｅｂサイトによる多数の贈与商品情報の提供を行ないＷｅｂサーバと、前記贈与者端末から送信される複数種の商品情報を基に当該複数種の商品情報を掲載したカタログをオンデマンド方式で作成するカタログ作成手段と、前記電報文情報を基に電報文書を作成する電報処理手段と、前記カタログと電報文書と申し込み葉書とを贈呈商品案内箱に入れて受贈者へ配送する処理を行ない贈呈案内処理手段と、受贈者からの前記カタログから選択された特定商品情報の申し込み葉書による連絡を受けて商品販売業者端末に対する当該特定商品の受贈者への配送手配処理を行ない商品処理手段と、前記贈与者に関して支払い決済情報に基づいた複数種の商品情報受注時における前金決済処理及び受贈者への特定商品配達後における残金決済処理及び商品販売業者との間における商品代金決済処理を行ない決済処理手段と、を具備する贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項４】
Ｗｅｂサイトから提供される多数の贈与商品情報から受贈者へ贈与すべき複数種の商品情報を選択し送信するとともに、受贈者への贈呈の意を表す電報文情報、支払い決済情報を送信する贈与者の贈与者端末と、
贈与者端末へのＷｅｂサイトによる多数の贈与商品情報の提供、前記贈与者端末から送信される複数種の商品情報を基に当該複数種の商品情報を掲載したカタログをオンデマンド方式で作成し、前記電報文情報を基に電報文書を作成して、前記カタログと電報文書とを贈呈商品案内箱に入れて受贈者へ配送する処理、
受贈者からの前記カタログから選択された特定商品情報の受贈者端末からの連絡を受けて商品販売業者端末に対する当該特定商品の受贈者への配送手配処理、前記贈与者に関して支払い決済情報に基づいた複数種の商品情報受注時における前金決済処理及び受贈者への特定商品配達後における残金決済処理、商品販売業者との間における商品代金決済処理を行ない贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項５】
Ｗｅｂサイトから提供される多数の贈与商品情報から受贈者へ贈与すべき複数種の商品情報を選択し送信するとともに、受贈者への贈呈の意を表す電報文情報、支払い決済情報を送信する贈与者の贈与者端末と、
特定商品情報の申し込み連絡を行ない受贈者の受贈者端末と、
贈与者端末へのＷｅｂサイトによる多数の贈与商品情報の提供を行ないＷｅｂサーバと、前記贈与者端末から送信される複数種の商品情報を基に当該複数種の商品情報を掲載したカタログをオンデマンド方式で作成するカタログ作成手段と、前記電報文情報を基に電報文書を作成する電報処理手段と、前記カタログと電報文書とを贈呈商品案内箱に入れて受贈者へ配送する処理を行ない贈呈案内処理手段と、受贈者からの前記カタログから選択された特定商品情報の受贈者端末による連絡を受けて商品販売業者端末に対する当該特定商品の受贈者への配送手配処理を行ない商品処理手段と、前記贈与者に関して支払い決済情報に基づいた複数種の商品情報受注時における前金決済処理及び受贈者への特定商品配達後における残金決済処理及び商品販売業者との間における商品代金決済処理を行ない決済処理手段と、を具備する贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項６】
Ｗｅｂサイトから提供される多数の贈与商品情報から受贈者へ贈与すべき複数種の商品情報を選択し送信するとともに、受贈者への贈呈の意を表す電報文情報、受贈者に対する電子メールお知らせか電報お知らせかの指定を含むＷｅｂカタログ提供又は印刷によるカタログ提供の指示情報の送信、受贈者のメールアドレス、支払い決済情報の送信を行ない贈与者の贈与者端末と、
前記贈与者からの贈与を受ける受贈者の受贈者端末と、
贈与者端末に対して、Ｗｅｂサイトによる多数の贈与商品情報の提供、受贈者に対する電子メールお知らせか電報お知らせかの指定を含むＷｅｂカタログ提供か印刷によるカタログ提供かを選択させるための指示情報の提供を行い、
贈与者から送信される前記指示情報において、贈与者が電子メールお知らせの指定を含むＷｅｂカタログ提供を選択した場合、前記受贈者の受贈者端末のメールアドレスに対して管理センターコンピュータにおける多数の贈与商品情報を提供するＷｅｂカタログサイトのＵＲＬ及びログイン用ＩＤ、パスワードを付し、かつ、前記電報文情報に対応する贈呈の意を表すメッセージを電子メールにて送信し、受贈者によるＷｅｂカタログサイトへのログイン、住所、配達日時の通報、商品選択に応じて商品販売業者端末に対する当該特定商品の受贈者への配送手配処理を行い、
贈与者が電報お知らせの指定を含むＷｅｂカタログ提供を選択した場合、贈与者端末から送信される電報文情報を基に管理センターコンピュータにおける多数の贈与商品情報を提供するＷｅｂカタログサイトのＵＲＬ及びログイン用ＩＤ、パスワードを付した前記電報文情報に基づく電報文書を作成して受贈者へ配送し、受贈者によるＷｅｂカタログサイトへのログイン、住所、配達日時の通報、商品選択に応じて商品販売業者端末に対する当該特定商品の受贈者への配送手配処理を行い、
前記贈与者から送信される前記指示情報において、贈与者が電報お知らせの指定を含む印刷によるカタログ提供を選択した場合、前記贈与者端末から送信される複数種の商品情報を基に当該複数種の商品情報を掲載したカタログをオンデマンド方式で作成し、前記電報文情報を基にＷｅｂカタログサイトのアクセス用のＵＲＬ情報、ログイン用ＩＤ、パスワードを含む電報文書を作成して、前記カタログと電報文書と特定商品及び配達日時指定用の申し込み葉書とを贈呈商品案内箱に入れて受贈者へ配送する処理を行い
受贈者からの電報文書に基づいたＷｅｂカタログサイトへのログイン、住所、配達日時の通報、商品選択に応じて商品販売業者端末に対する当該特定商品の受贈者への配送手配処理を行い、
受贈者からの前記カタログから選択された特定商品情報の申し込み葉書による連絡を受けて商品販売業者端末に対する当該特定商品の受贈者への配送手配処理を行い、
前記贈与者に関して支払い決済情報に基づいた複数種の商品情報受注時における電子メールお知らせの場合を除く前金決済処理及び受贈者への特定商品配達後における残金決済処理、商品販売業者との間における商品代金決済処理を行ないように構成した贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項７】
Ｗｅｂサイトから提供される多数の贈与商品情報から受贈者へ贈与すべき複数種の商品情報を選択し、選択した複数種の商品情報、受贈者への贈呈の意を表す電報文情報、受贈者へ贈与するポイント数、受贈者のメールアドレス、住所を送信するとともに、ポイント一括代金決済処理を行ない贈与者の贈与者端末と、
前記贈与者からの贈与を受ける受贈者の受贈者端末と、
贈与者端末へのＷｅｂサイトによる多数の贈与商品情報の提供、前記贈与者端末から送信される複数種の商品情報に基づく当該複数種の商品情報を掲載したカタログのオンデマンド方式による作成、前記電報文情報に基づく電報文書の作成、及び、管理センターコンピュータログイン用のＩＤ、パスワード、前記ポイント数の電報文書への記載を行って前記カタログと電報文書とを贈呈商品案内箱に入れて受贈者へ配送する処理、又は前記カタログを贈呈商品案内箱に入れて受贈者へ配送する処理と前記管理センターコンピュータログイン用のＩＤ、パスワード、ポイント数を受贈者へメール配信する処理とを行い、前記受贈者からのログインによるポイント数の範囲内での特定商品情報の連絡を受けて商品販売業者に対する当該特定商品の受贈者への配送手配処理、前記贈与者に関して前記ポイント数に応じた一括代金決済処理、商品販売業者との間における商品代金決済処理を行ない贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項８】
Ｗｅｂサイトから提供される情報に基づき、受贈者への贈呈の意を表す電報文情報、受贈者へ贈与するポイント数、受贈者のメールアドレス、住所を送信するとともに、ポイント一括代金決済処理を行ない贈与者の贈与者端末と、
前記贈与者からの贈与を受ける受贈者の受贈者端末と、
贈与者端末へのＷｅｂサイト提供に基づき前記贈与者端末から送信される前記電報文情報に基づく電報文書の作成、及び、管理センターコンピュータログイン用のＩＤ、パスワード、前記ポイント数の電報文書への記載を行って前記電報文書を贈呈商品案内箱に入れて受贈者へ配送する処理、又は前記管理センターコンピュータログイン用のＩＤ、パスワード、ポイント数を受贈者へメール配信する処理とを行い、前記受贈者からのログインによるポイント数の範囲内での管理センター側が提供する複数商品中から選択した特定商品情報絡を受けて商品販売業者に対する当該特定商品の受贈者への配送手配処理、前記贈与者に関して前記ポイント数に応じた一括代金決済処理、商品販売業者との間における商品代金決済処理を行ない贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有することを特徴とするカタログ選択商品贈与システム。
【請求項９】
Ｗｅｂサイトから提供される多数の贈与商品情報から受贈者へ贈与すべき複数種の商品情報を選択し、選択した複数種の商品情報、受贈者への贈呈の意を表す電報文情報、メールアドレス、受贈者へ贈与するポイント数、贈与者自身の動画又は静止画の画像情報、贈与者の携帯メールアドレス及び住所を送信するとともに、ポイント一括代金決済処理を行ない贈与者のパーソナルコンピュータ又は携帯電話からなる贈与者端末と、
前記贈与者からの贈与を受ける受贈者のパーソナルコンピュータ又は携帯電話からなる受贈者端末と、
贈与者端末へのＷｅｂサイトによる多数の贈与商品情報の提供、前記贈与者端末から送信される複数種の商品情報に基づく当該複数種の商品情報を掲載したカタログのオンデマンド方式による作成、電報文情報に基づく電報文書の作成、及び、管理センターコンピュータログイン用のＩＤ、パスワード、贈与者画像用携帯ＱＲコード、贈与者の携帯メールアドレスからなる携帯ＱＲコード、前記ポイント数の電報文書への記載を行って前記カタログと電報文書とを贈呈商品案内箱に入れて受贈者へ配送する処理、又は前記カタログを贈呈商品案内箱に入れて受贈者へ配送する処理と前記管理センターコンピュータログイン用のＩＤ、パスワード、ポイント数を受贈者へメール配信する処理とを行い、前記受贈者からのログインによるポイント数の範囲内での特定商品情報の連絡を受けて商品販売業者に対する当該特定商品の受贈者への配送手配処理、前記贈与者に関して前記ポイント数に応じた一括代金決済処理、商品販売業者との間における商品代金決済処理を行ない、更に、贈与者画像用携帯ＱＲコードに関連付けた前記贈与者自身の動画又は静止画の画像情報のダウンロード用の蓄積を行ない贈与品管理センターの管理センターコンピュータと、
管理センターコンピュータからの配送手配に基づき受贈者へ特定商品の配達処理を行ない商品販売業者の商品販売業者端末と、
前記各端末、管理センターコンピュータ間の情報伝送を行ない通信網と、
を有し、
前記携帯電話からなる受贈者端末による贈与者画像用携帯ＱＲコードの読み取りにより前記贈与者自身の動画又は静止画の画像情報のダウンロードの実行と、前記携帯電話からなる受贈者端末による前記携帯ＱＲコードの読み取りによる受贈者の動画又は静止画の贈与者への送信を可能としたことを特徴とするカタログ選択商品贈与システム。
【発明の詳細な説明】
【技術分野】
【０００１】
本発明は、カタログ選択商品贈与システムに関し、詳しくは、特定の商品の受贈者はもとより、当該商品を贈与する贈与者の満足度が高く、かつ、受贈者がコンピュータ端末を使用しないような場合でもあっても有効に適用できるカタログ選択商品贈与システムに関するものである。
【背景技術】
【０００２】
従来、誕生日や結婚記念日等の祝事に関連して、贈与者から受贈者に対して特定の商品を送るシステムとして、カタログショッピングが広く活用されている。従来のカタログショッピングは、主として受贈者に対する返礼用のものとして使用され、受贈者が誰であっても全く同じ品物を表示した統一された商品カタログの中から受贈者が特定の商品を選ぶシステムであり、受贈者にとって必ずしも満足できるものではなかった。
【０００３】
また、従来のカタログショッピングの場合は、受贈者が商品カタログの中から商品を選び忘れ放置したような場合、例えばそのカタログ代金が１０００円であれば、その１０００円はすでに贈与者から商品販売業者に支払い済みであるので、丸々当該１０００円が無駄になってしまうという問題があった。
【０００４】
更に、従来のカタログショッピングの場合、贈与者は受贈者が当該商品カタログの中からいずれの商品を選んだかを知る術はなく、このため受贈者が贈与商品に満足したか否かを伺い知ることができないことが多かった。
【０００５】
近年のＩＴ技術の進歩に伴い、インターネットを使用した商品贈与システムも提案されている。すなわち、特許文献１には、贈答品用Ｗｅｂサイトで提供される商品群の中から複数の商品を組み合わせた個々の受取人別の贈答用カタログを作成し、作成した贈答用カタログを受取人別にデータベースに登録して、受取人のＷｅｂブラウザに表示させるように構成した贈答品用カタログ作成配布方法及びシステムが提案されている。
しかし、この特許文献１の場合、受取人がコンピュータ端末を使用することが前提でありコンピュータ端末の操作が不得手な例えば高齢者であるような場合にはその活用が難しかった。
【特許文献１】特開２００２−１５７５２１号公報
【発明の開示】
【発明が解決しようとする課題】
【０００６】
本発明が解決しようとする問題点は、特定の商品の受贈者はもとより、当該商品を贈与する贈与者の満足度が高く、かつ、受贈者がコンピュータ端末を使用しないような場合でもあっても有効に適用でき、更に返礼用であるか贈答用であるかにかかわらず広範に活用できるカタログ選択商品贈与システムが存在しない点である。
【課題を解決するための手段】
【０００７】
本発明のカタログ選択商品贈与システムは、Ｗｅｂサイトから提供される多数の贈与商品情報から受贈者へ贈与すべき複数種の商品情報を選択し送信するとともに、支払い決済情報を送信する贈与者の贈与者端末と、贈与者端末へのＷｅｂサイトによる多数の贈与商品情報の提供、前記贈与者端末から送信される複数種の商品情報を基に当該複数種の商品情報を掲載したカタログをオンデマンド方式で作成し、このカタログを受贈者へ配送する処理、受贈者からの前記カタログから選択された特定商品情報の連絡を受けて商品販売業者に対する当該特定商品の受贈者への配送手配処理、前記贈与者に関して前記支払い決済情報に基づいた複数種の商品情報受注時における前金決済処理及び受贈者への特定商品配達後における残金決済処理、商品販売業者との間における商品代金決済処理を行ない贈与品管理センターの管理センターコンピュータと、管理センターコンピュータからの配送手配に基づき受贈者へ特定商品の配達処理を行ない商品販売業者の商品販売業者端末と、前記各端末、管理センターコンピュータ間の情報伝送を行ない通信網と、を有することを最も主要な特徴とする。
【発明の効果】
【０００８】
請求項１記載の発明によれば、返礼用であるか贈与用であるかを問わず、贈与者はあらゆる商品から好みの商品を選択して贈与でき、また、受贈者は、好みの商品を受け取ることができ、贈与者、受贈者双方にとって満足度が高く、更には、前金決済、残金決済方式を採用するため受贈者が商品を選び忘れた場合でも贈与者に実質的な損害が生じないカタログ選択商品贈与システムを提供できる。また、贈与品管理センターにおいては、商品在庫を持たないアフェリエィト（受注−発注）販売に徹しながら、贈与者側、受贈者側の独自のいわばマイカタログの形式のシステムとして運用し、収益を図ることが可能なカタログ選択商品贈与システムを提供できる。
【０００９】
請求項２、３記載の発明によれば、前記請求項１記載の発明と同様な効果を奏するとともに、特にカタログと電報文書と申し込み葉書とを贈呈商品案内箱に入れて受贈者へ配送し、受贈者からの葉書申し込み方式の構成としているので、受贈者がコンピュータ端末を使用しないような場合でもあっても有効に適用できるカタログ選択商品贈与システムを提供できる。
【００１０】
請求項４、５記載の発明によれば、前記請求項１記載の発明と同様な効果を奏するとともに、特にカタログと電報文書とを贈呈商品案内箱に入れて受贈者へ配送し、受贈者が受贈者端末を使用して申し込む構成としているので、受贈者、贈与品管理センター双方の操作の簡略化を図ることができるカタログ選択商品贈与システムを提供できる。
【００１１】
請求項６記載の発明によれば、返礼用であるか贈与用であるかを問わず、贈与者はあらゆる商品から好みの商品を選択して贈与でき、また、受贈者は、Ｗｅｂサイトを通じ又は申し込み葉書にて選択した好みの商品を受け取ることができ、贈与者、受贈者双方にとって満足度が高く、しかも、受贈者にとって特定商品の申し込みルートの選択肢が多く、受贈者端末を使用する者、使用しない者（例えば高齢者）等、受贈者の年齢の如何を問わず柔軟に対応できるカタログ選択商品贈与システムを提供できる。
【００１２】
請求項７記載の発明によれば、カタログと、贈与者が購入したポイント数を記載した電報文書とを贈呈商品案内箱に入れて受贈者へ配送し、又は、ログイン用のパスワード等を記載したメールを受贈者へ配信し、受贈者は、Ｗｅｂサイトを通じてポイント数の範囲内で好みの商品を選択し受け取ることができ、贈与者と贈与品管理センターとの代金決済も簡略な一括決済方式としているので、受贈者、贈与品管理センター双方の操作の簡略化を図ることができ、受贈者はポイント残が生じた場合にはそのポイント保留を行ないことも可能であるカタログ選択商品贈与システムを提供できる。
【００１３】
請求項８記載の発明によれば、贈与品管理センターでカタログを作成せずに贈与者から受贈者へ送られるポイント数の範囲で受贈者がＷｅｂサイトを通じて贈与品管理センターが提供する商品の中から特定商品を選ぶ構成として、請求項７載の発明と同様な効果を奏するカタログ選択商品贈与システムを提供できる。
【００１４】
請求項９記載の発明によれば、請求項７載の発明と同様の効果を奏することに加えて、受贈者が贈与者の画像を携帯電話にてダウンロードして視認したり、逆に受贈者からのお礼用の画像を贈与者の携帯電話に送ることもできより親近感を高め得るカタログ選択商品贈与システムを提供できる。
【発明を実施するための最良の形態】
【００１５】
本発明は、特定の商品の受贈者は勿論のこと、当該商品を贈与する贈与者の満足度が高く、かつ、受贈者がコンピュータ端末を使用しないような場合でもあっても有効に適用でき、更に返礼用であるか贈答用であるかにかかわらず広範に活用できるカタログ選択商品贈与システムを提供するという目的を有するものである。
本発明は、上記目的を、Ｗｅｂサイトから提供される多数の贈与商品情報から受贈者へ贈与すべき複数種の商品情報を選択し送信するとともに、受贈者への贈呈の意を表す電報文情報、支払い決済情報を送信する贈与者の贈与者端末と、贈与者端末へのＷｅｂサイトによる多数の贈与商品情報の提供、前記贈与者端末から送信される複数種の商品情報を基に当該複数種の商品情報を掲載したカタログをオンデマンド方式で作成し、前記電報文情報を基に電報文書を作成して、前記カタログと電報文書と申し込み葉書とを贈呈商品案内箱に入れて受贈者へ配送する処理、受贈者からの前記カタログから選択された特定商品情報の申し込み葉書による連絡を受けて商品販売業者端末に対する当該特定商品の受贈者への配送手配処理、前記贈与者に関して支払い決済情報に基づいた複数種の商品情報受注時における前金決済処理及び受贈者への特定商品配達後における残金決済処理、商品販売業者との間における商品代金決済処理を行ない贈与品管理センターの管理センターコンピュータと、管理センターコンピュータからの配送手配に基づき受贈者へ特定商品の配達処理を行ない商品販売業者の商品販売業者端末と、前記各端末、管理センターコンピュータ間の情報伝送を行ない通信網と、を有する構成により実現した。
【実施例】
【００１６】
以下に、本発明の実施例に係るカタログ選択商品贈与システム１について図面を参照して詳細に説明する。
【００１７】
本実施例に係るカタログ選択商品贈与システム１は、図１に示すように、インターネット網又はインターネット網と携帯電話網が組み合わされた通信網等の通信網１１に対して、贈与者２の贈与者端末１２と、贈与品管理センター３の詳細は後述する管理センターコンピュータ１３と、商品販売業者４の商品販売業者端末１４と、金融機関（クレジットカード会社等）５の金融機関端末１５と、受贈者６の受贈者端末１６とを接続して構成している。
【００１８】
前記贈与者２の贈与者端末１２、受贈者６の受贈者端末１６は、各々パーソナルコンピュータ又は携帯電話が使用される。なお、前記受贈者端末１６は、受贈者６が通信網１１を介して管理センターコンピュータ１３と交信する場合においてのみ使用されるものである。
【００１９】
前記贈与者２の贈与者端末１２は、管理センターコンピュータ１３が通信網１１を介して提供するＷｅｂサイトによる多数の贈与商品情報から受贈者６へ贈与すべき複数種の商品情報を選択し、通信網１１を介して管理センターコンピュータ１３に送信するとともに、受贈者６へのその氏名、住所等々を含む贈呈の意（例えば誕生祝い等）を表す電報文情報、贈与者２の氏名、クレジットカード番号等の支払い決済情報を通信網１１を介して管理センターコンピュータ１３に送信する。
【００２０】
前記管理センターコンピュータ１３は、図２に示すように、通信網１１に接続する通信処理手段２１と、贈与者端末１２へのＷｅｂサイトによる多数の贈与商品情報の提供を行ないＷｅｂサーバ２２と、前記贈与者端末１２から送信される多数の贈与商品情報から選定した複数種、例えば４種の商品情報を基に当該４種の商品情報を掲載した図８に示すような有彩色（カラー）のカタログ４１をオンデマンド方式で作成するカラープリンタ２３ａを備えたカタログ作成手段２３と、前記電報文情報に基づき図６に示すような受贈者６への電報文書４２を作成する電報処理手段２５と、前記カタログ４１と電報文書４２と図９に示す申し込み葉書４３とを贈呈商品案内箱４０に入れて受贈者６へ配送処理する贈呈案内処理手段２４と、受贈者６からの前記カタログ４１から選択された特定商品情報の申し込み葉書４３による連絡を受けて商品販売業者端末１４に対する当該特定商品の受贈者６への配送手配処理を行ない商品処理手段２６と、前記贈与者２に関して支払い決済情報に基づいた複数種の商品情報受注時における前金決済処理及び受贈者６への特定商品配達後における残金決済処理及び商品販売業者４との間における商品代金決済処理を行ない決済処理手段２７と、前記管理センターコンピュータ１３にて処理する各種情報の記録を行ないデータ記録手段２８と、前記管理センターコンピュータ１３のオペレータが操作する入力端末２９と、前記管理センターコンピュータ１３内の各要素間の情報伝送を行ない内部通信網３０と、を具備している。
【００２１】
前記通信処理手段２１は、通信網１１を介して接続されるカタログ選択商品贈与システム１を構成する各要素の種類に応じた通信プロトコル（インターネットプロトコル、携帯電話プロトコル）変換を行なって、この管理センターコンピュータ１３と前記各要素との情報交信を行ない。
【００２２】
前記データ記録手段２８は、贈与者２に提供する多数の贈与商品情報を格納した商品情報データベース３１と、贈与者２が選定した複数種の商品情報、贈与者２の氏名、住所やクレジットカード番号等の支払い決済情報を記録する贈与者データベース３２と、受贈者６の住所、氏名、更には受贈者６が選択した特定商品情報を記録する受贈者データベース３３と、前記受贈者６への電報文情報を記録する電報文データベース３４と、前記各データベースに対する記録処理、読み出し処理を行ないデータベース制御部３５と、を具備している。
【００２３】
前記商品販売業者４の商品販売業者端末１４は、管理センターコンピュータ１３からの配送手配を受信し、これを基に商品販売業者４は例えば宅配便にて前記特定商品の受贈者６に対する配達処理を行ない。
【００２４】
前記金融機関５の金融機関端末１５は、前記前金決済処理及び残金決済処理時において前記決済処理手段２７と交信し、贈与者２のクレジットカード情報を処理する。
【００２５】
次に、図３を参照して管理センターコンピュータ１３から贈与者端末１２の画面に提供される多数の贈与商品情報の一例について説明する。
【００２６】
前記贈与者端末１２の画面には、図３に示すように、受贈者６の趣味等々を考慮したジャストミートカテゴリー、セレクトカテリーゴリー別に多数の各種の贈与商品情報が表示される。例えばジャストミートカテゴリーは、スポーツ大好き、お酒大好き等に区分され、スポーツ大好きに関しては、更にセレクトカテゴリーとして野球、サッカー、格闘技、テニス、柔道、剣道、バレー、バスケット、陸上、水泳、エクササイズ、その他等各分野の贈与商品情報が選定可能となっている。
【００２７】
同様に、お酒大好きに関しては、セレクトカテゴリーとして酒の肴、器、グラス他ツール、ワイン、日本酒、焼酎、洋酒等の贈与商品情報が選定可能となっている。この他、健康食品、本、ＣＤ、ＤＶＤ、その他等各分野の贈与商品情報が選定可能となっている。
【００２８】
上述したジャストミートカテゴリーとしては、贈与相手の趣味嗜好に適合した商品の選択導入を行ない、セレクトカテゴリーとしては、一般的な食品＞スイーツ＞チョコレートのような流れで検索可能とするものである。また、検索カテゴリーも、性別、年齢、血液型、性格等を考慮して推奨商品を選出するものである。この他、セット販売、同一価格帯セットも含ませることもできる。
【００２９】
次に、図４を参照して、贈与者２が贈与者端末１２を使用して入力する所要の入力情報について説明する。
【００３０】
贈与者２は、贈与者端末１２の画面に表示される図３に示すような各種の贈与商品情報の中から、受贈者６へ贈与すべき複数種の商品情報として例えば４種の贈与商品情報を選定する。
ここでは、贈与者２が、Ａゴルフクラブ、Ｂ洋酒、Ｃ本、Ｄ健康食品を選定するものとして以下の説明を行ない。
【００３１】
更に、贈与者２は贈与者端末１２を操作し、受贈者６の氏名、住所、受贈者６に対する例えば誕生祝いの意を表す電報文情報、贈与者２の氏名、住所、クレジットカード番号等の決済処理情報等を入力する。
【００３２】
次に、図５乃至図１０を参照して前記電報文書４２を綴じ込む電報文ファイル４４、カタログ４１、申し込み葉書４３及び贈呈商品案内箱４０について説明する。
【００３３】
図５は、前記電報文書４２を綴じ込む電報文ファイル４４を示すものであり、この電報文ファイル４４は、例えばＡ４サイズで、厚紙からなる表紙４５、裏紙４６を見開き可能に綴じ込み、表紙４５の表面には花柄等を印刷し、裏紙４６の一面に設けた４箇所の切り込み４７に電報文書４２の四隅を挟み込むように構成している。
また、表紙４５の裏面にも、例えばバイオリンの図等を印刷し、全体としてきれいな装丁に仕上げている。そして、表紙４５と裏紙４６とを図７に示すように綴じ合わせて、受贈者６に贈る電報文ファイル４４としている。
【００３４】
図６は、前記電報文書４２の一例を示すもので、電報文書４２の文面は、例えば「お父さん、誕生日おめでとう。・・・・・・」等々の内容としている。
【００３５】
図８は、贈与者２の選定に基づく４種の贈与商品（Ａゴルフクラブ、Ｂ洋酒、Ｃ本、Ｄ健康食品）について、各々の説明文、画像を４つに区分してカラー印刷により表示したカタログ４１を示すものである。
【００３６】
図９は、受贈者６が贈与品管理センター３に送る申し込み葉書４３の一例を示すものである。
【００３７】
図１０は、贈呈商品案内箱４０を示すものであり、厚紙により第１箱部４８、第２箱部４９を見開き可能に綴じ込み、第１箱部４８の裏面側には前記電報文ファイル４４を差し込み収納する第１収納凹部４８ａを、第２箱部４９の内面には前記カタログ４１を収納する第２収納凹部４９ａを各々設けている。また、贈呈商品案内箱４０の第１箱部４８の表面側には「贈呈商品案内」の文字を付している。
【００３８】
次に、本実施例に係るカタログ選択商品贈与システム１における全体の処理の流れを図１１をも参照して説明する。
【００３９】
前記管理センターコンピュータ１３のＷｅｂサーバ２２は、贈与者２の贈与者端末１２からの要求に応じて通信網１１を介して多数の贈与商品情報を提供し、贈与者端末１２の画面に表示させる。
【００４０】
贈与者２は、画面表示に応じて、Ａゴルフクラブ、Ｂ洋酒、Ｃ本、Ｄ健康食品の４種を選定するとともに、更に贈与者端末１２を操作し、受贈者６の氏名、住所、受贈者６に対する例えば誕生祝いの意を表す電報文情報、贈与者２の氏名、住所、クレジットカード番号等の決済処理情報等を入力する。これらの各情報は、通信網１１を介して前記管理センターコンピュータ１３に送信される。
【００４１】
前記管理センターコンピュータ１３においては、前記カタログ作成手段２３が前記贈与者端末１２から送信される４種の商品情報を基にカラープリンタ２３ａを動作させ、当該４種の商品情報を掲載した図８に示すようなカラーのカタログ４１をオンデマンド方式で作成する。
【００４２】
また、前記電報処理手段２５は、贈与者端末１２からの電報文情報に基づき図６に示すような受贈者６への電報文書４２を作成する。
更に、贈呈案内処理手段２４は、前記カタログ４１と電報文書４２と申し込み葉書４３とを前記カタログ４１とを贈呈商品案内箱４０に入れ、受贈者６へ配送処理する。この場合の具体的配送手段は、宅配便、郵送等公知の手段を選定することができる。
【００４３】
前記贈与者端末１２からの贈与者２の氏名、住所、クレジットカード番号等の決済処理情報等は、データベース制御部３５の制御の基に前記贈与者データベース３２に記録される。
【００４４】
前記贈与者端末１２からの受贈者６の氏名、住所の情報は、データベース制御部３５の制御の基に前記受贈者データベース３３に記録される。
【００４５】
前記贈与者端末１２からの受贈者６に対する電報文情報は、データベース制御部３５の制御の基に電報文データベース３４に記録される。
【００４６】
このようにして、前記贈呈商品案内箱４０は、受贈者６の手元に届けられ、受贈者６は電報文書４２、カタログ４１を視認するとともに、カタログ４１に掲載された４種の贈呈商品の中から一種、例えばゴルフクラブを特定商品として選定し、同封の申し込み葉書４３に特定商品を明記して贈与品管理センター３に郵送申し込みをする。
【００４７】
前記管理センターコンピュータ１３の商品処理手段２６は、受贈者６からの前記カタログから選択された特定商品情報の申し込み葉書４３による連絡を受けて通信網１１を介して前記商品販売業者端末１４に対する当該特定商品（ゴルフクラブ）の受贈者６への配送手配処理を行ない。
【００４８】
前記商品販売業者４の商品販売業者端末１４は、商品処理手段２６からの配送手配を受信し、これを基に商品販売業者４は、例えば宅配便又は郵送等にて前記特定商品の受贈者６に対する配達処理を行ない。
【００４９】
これにより、受贈者６は、贈与者２が選定した４種の商品の中から選んだ自己が好みとする特定商品（ゴルフクラブ）を取得することができる。
【００５０】
前記管理センターコンピュータ１３の決済処理手段２７は、前記贈与者２に関して支払い決済情報に基づいた複数種の商品情報受注時における前金決済処理（例えば１０００円）及び受贈者６への特定商品配達後における残金決済処理（特定商品の代金−１０００円）を行ない、更に、商品販売業者４との間における商品代金（卸値：特定商品の代金の７０％等）決済処理を行ない。
【００５１】
以上説明した本実施例に係るカタログ選択商品贈与システム１によれば、以下のような種々の効果を奏することができる。
【００５２】
すなわち、贈与者２、受贈者６双方にとって満足度の高いカタログ選択商品贈与システム１を提供できる。具体的には、贈与者２、受贈者６は、返礼用であるか、贈与用（各種の御祝い等）であるかを問わず、あらゆる商品からの選択が可能である。例えば、子供が父親の誕生日にゴルフクラブやネクタイ等々自分の父親の好みの各種贈与商品を掲載したカタログ４１を電報文書４２と一緒にして送り、受け取った父親は、仮にコンピュータ端末を使用しないような場合でもあっても当該贈与商品のカタログ４１の品物の中から自分の好きな品物を選んで申し込み、これをお祝い等として贈与品管理センター３から送ってもらうことができる。
【００５３】
このように、本カタログ選択商品贈与システム１は、あらゆる価格帯の品物をそのまま価格未表示で掲載するオンデマンド方式であり、受贈者６の趣味、嗜好ありきで商品を選択できる利点がある。
【００５４】
また、贈与者２は贈与品管理センター３とのやり取りを通信網１１を介して行ないことができ、贈与のための処理が簡略であるとともに、受贈者６が何の商品を選んだかが残金決済処理の段階で判明するので、より満足感が得られる。この点、従来のカタログショッピングの場合は贈与者２は贈与先の商品選定が分からないのと大きく相違する。
【００５５】
更に、従来のカタログギフトは、贈与者（決済者）が支払を前金で済ませ、受贈者が申し込まなくても前金は返金はされない。商品販売業者側では預かり金となってしまい税務義務を滞ってしまう恐れが生じるという不都合もある。
【００５６】
本実施例に係るカタログ選択商品贈与システム１によれば、上述した一例で言うと、前金の１０００円はオンデマンドカタログ製造から配送及び電報代金も含めての料金であり、贈与者２の損失にはならないし、受贈者６が申し込み忘れていても支払い義務は発生しない。この点、従来のカタログショッピングにおいては、受贈者６が選び忘れた場合、そのカタログが１０００円の場合には、その１０００円はすでに贈与者２から業者に決済済みであるので、丸々当該１０００円が無駄になってしまうのと大きく相違する。
【００５７】
本実施例に係るカタログ選択商品贈与システム１は、前記贈与品管理センター３において、商品在庫を持たないアフェリエィト（受注−発注）販売に徹しながら、贈与者２側、受贈者６側の独自のいわばマイカタログの形式にして、同時にオリジナル商品は在庫を持ちながら高利益商材として販売する等として運営できる。
【００５８】
また、本実施例の料金システムは、申し込みの時点で、電報代として例えば１０００円を受けて決済し、残金は受贈者６側が具体的に商品を選定したとき、その代金を贈与者２から徴収するようにしているので、贈与品管理センター３にとっても運営効率のよいシステムとすることができる。
【００５９】
従来は贈与品カタログ一冊ずつ同じ価格の商品をラインアップしなくてはならず、例えば３０００円の商品群を掲載した贈与品カタログに、２３００円程度の商品の掲載も入れ込ませていたという不都合があったのに対して、本実施例によればあらゆる価格帯の品物をそのまま価格未表示で掲載するオンデマンド方式で運営でき、受贈者６の趣味、嗜好ありきで商品を選択させることができるシステムとすることができる。
【００６０】
また、従来のカタログギフトの場合、在庫品の商品しか選べないこと、１年間同じ内容であること、持ち帰り若しくは郵送であること等の不都合もある。
【００６１】
更に、贈与品管理センター３においては、物流費３５０円／カタログ印刷製作１００円／台紙・化粧箱１５０円／クレジットカード決済費２２０円（上代の４％）、申し込み葉書１０円／切手代５０円、上代５５００円平均として、コストは８８０円（１７％）、仕入業者へ支払い７０％で、合計８７％として収益計算をすることができる。
【００６２】
また、上述した１０００円の前金は、カタログ＋電報等の原価（約８００円）に対する売上であり、例えば５０００円の商品であれば、その２０〜２５％に相当する１０００〜１２５０円とカタログ代粗利益２００円とで利益率は２０〜２４％というような収益計算をすることもできる。なお、上述した収益計算に関する各数値はあくまで一例であり、本実施例システムの具体的運用に際しては上述した各数値に限定されないことはいうまでない。
【００６３】
本実施例に係るカタログ選択商品贈与システム１において、前記受贈者６への商品実物は、受贈者６が選んで申込むので即日性はいらず、この場合、受贈者６が自分で自分に送る商品に性質が変化しているのでその包装も質素で良いし商品販売業者４から直接、荷物として宅配等により出荷可能であるという利点もある。
【００６４】
また、前記電報文書４２等は画像入りとすることも可能であり、例えば、披露宴出席者への引き出物とお礼とを即日配達するようなカタログ選択商品贈与システム１とすることもできる。
【００６５】
次に、本発明に係るカタログ選択商品贈与システム１の他の実施例であるカタログ選択商品贈与システム１Ａについて、図１２、図１３、図１４を参照して説明する。
【００６６】
この他の実施例に係るカタログ選択商品贈与システム１Ａは、上述したカタログ選択商品贈与システム１と基本的構成、処理の流れは略同様であるが、図１２に示すように、管理センターコンピュータ１３Ａに電子メールサーバ３６を付加し、受贈者６に対する電子メールお知らせか電報お知らせかの指定を含むＷｅｂカタログ提供又は印刷によるカタログ提供を行ないようにしたことが特徴である。
【００６７】
以下に、他の実施例に係るカタログ選択商品贈与システム１Ａについて図１４をも参照して詳述する。この他の実施例に係るカタログ選択商品贈与システム１Ａにおいては、図１に示す場合と同様なシステム構成及び図１２に示すような管理センターコンピュータ１３Ａを備えた構成で以下に述べるような処理を行ないものである。
【００６８】
前記管理センターコンピュータ１３ＡのＷｅｂサーバ２２は、贈与者２の贈与者端末１２からの要求に応じて通信網１１を介して多数の贈与商品情報を提供し、贈与者端末１２の画面に表示させる。また、受贈者に対する電子メールお知らせか電報お知らせかの指定を含むＷｅｂカタログ提供又は印刷によるカタログ提供の指示情報も贈与者端末１２の画面に表示させる（ステップＳ１）。
【００６９】
贈与者２は、画面表示に応じて、Ａゴルフクラブ、Ｂ洋酒、Ｃ本、Ｄ健康食品の４種を選定するとともに、更に贈与者端末１２を操作し、受贈者６に対する例えば誕生祝いの意を表す電報文情報、受贈者６のメールアドレス、贈与者２クレジットカード番号等の決済処理情報、更には、受贈者６に対する電子メールお知らせか電報お知らせかの指定を含むＷｅｂカタログ提供又は印刷によるカタログ提供の指示も行ない。これらの各情報は、通信網１１を介して前記管理センターコンピュータ１３Ａに送信される（ステップＳ２）。
【００７０】
前記管理センターコンピュータ１３Ａにおいては、前記贈与者２からの各種情報に応じて以下のような各処理を実行する。
【００７１】
（１）贈与者２から送信される前記指示情報において、贈与者２が電子メールお知らせの指定を含むＷｅｂカタログ提供を選択した場合（ステップＳ３）
【００７２】
前記管理センターコンピュータ１３Ａのメールサーバ３６は、前記贈与者２の選択に応じて、受贈者６の受贈者端末１６のメールアドレスに対して、管理センターコンピュータ１３Ａにおける多数の贈与商品情報を提供するＷｅｂサーバ２２のＷｅｂカタログサイトのＵＲＬ（Ｕｎｉｆｏｒｍ  Ｒｅｓｏｕｒｃｅ  Ｌｏｃａｔｏｒ）及びログイン用ＩＤ（アカウント：Ｉｄｅｎｔｉｆｉｃａｔｉｏｎ）、パスワードを付し、かつ、前記電報文情報に対応する贈呈の意を表すメッセージを電子メールにて送信する（ステップＳ４）。
【００７３】
この電子メールを受信した受贈者６は、前記贈呈の意を表すメッセージを視認し認識するとともに、電子メールの情報を基に前記Ｗｅｂサーバ２２のＷｅｂカタログサイトへのログインを行い、更に、Ｗｅｂカタログサイトからの特定商品の選択、住所、氏名、配達日時の通報を行ない（ステップＳ５）。
【００７４】
前記管理センターコンピュータ１３Ａの商品処理手段２６は、受贈者６からの前記各情報に応じて、前記商品販売業者４の商品販売業者端末１４に対する当該特定商品の受贈者６への配送手配処理を行ない（ステップＳ６）。
【００７５】
前記商品販売業者端末１４は、商品処理手段２６からの配送手配を受信し、これを基に商品販売業者４は、例えば宅配便又は郵送等にて前記特定商品の受贈者６に対する配達を行ない（ステップＳ７）。これにより、受贈者６は、贈与者２が選定した４種の商品の中から選んだ自己が好みとする特定商品（例えばゴルフクラブ）を取得することができる（ステップＳ８）。
【００７６】
この後、前記管理センターコンピュータ１３Ａの決済処理手段２７は、前記贈与者２に関して支払い決済情報に基づいた決済処理を行ないが、贈与者２が電子メールお知らせの指定を含むＷｅｂカタログ提供を選択した場合には、既述したような電報処理や申し込み葉書４３は無くせるため、既述した料金決済処理における前金（例えば１０００円）は不要となる利点がある。
【００７７】
このように贈与者２が電子メールお知らせの指定を含むＷｅｂカタログ提供を選択した場合には、贈与者２が受贈者６のメールアドレスしか分からない場合であっても、既述した実施例の場合と同様な効果を奏し、贈与者２、受贈者６双方にとって満足度の高いカタログ選択商品贈与システム１Ａとすることができる。
【００７８】
（２）贈与者２から送信される前記指示情報において、贈与者２が電報お知らせの指定を含むＷｅｂカタログ提供を選択した場合（ステップＳ３）。
【００７９】
前記管理センターコンピュータ１３Ａの電子メールサーバ３６は、前記贈与者２の選択に応じて、前記電報文情報を基に管理センターコンピュータ１３Ａにおける多数の贈与商品情報を提供するＷｅｂカタログサイトのＵＲＬ及びログイン用ＩＤ、パスワードを付した前記電報文情報に基づく電報文書４２を作成して受贈者６へ配達する（ステップＳ９）。
【００８０】
このとき、電子メールサーバ３６は、入力端末２９からのオペレータ処理に基づき、前記電報文書４２に、図１３に示すようなＷｅｂカタログサイトのアクセス用のＵＲＬ情報を記録した予め登録済みの第１のＱＲコード（Ｑｕｉｃｋ  Ｒｅｓｐｏｎｓｅ  Ｃｏｄｅ）３７、贈与者２の例えば結婚式における新郎新婦の姿や海外挙式での様子、孫の姿、ペットの様子等のような静止画又は動画からなる個人画像ダウンロード用の情報を記録した予め登録済みの第２のＱＲコード３８も付加して受贈者へ配達する。
【００８１】
受贈者６は、前記贈呈の意を表す電報文書４２を視認し認識するとともに、電報文書４２の情報を基に、又は、第１のＱＲコード３７の情報を基に、受贈者端末１６（例えばＱＲコード対応携帯電話）を使用して前記Ｗｅｂサーバ２２のＷｅｂカタログサイトへのログインを行い、更に、Ｗｅｂカタログサイトから特定商品を選択し配達日時の通報を行ない（ステップＳ１０）。
【００８２】
前記管理センターコンピュータ１３Ａの商品処理手段２６は、受贈者６からの前記各情報に応じて、前記商品販売業者４の商品販売業者端末１４に対する当該特定商品の受贈者への配送手配処理を行ない（ステップＳ１１）。
【００８３】
前記商品販売業者端末１４は、商品処理手段２６からの配送手配を受信し、これを基に商品販売業者４は、例えば宅配便又は郵送等にて前記特定商品の受贈者６に対する配達を行ない（ステップＳ１２）。これにより、受贈者６は、贈与者２が選定した４種の商品の中から選んだ自己が好みとする特定商品（例えばゴルフクラブ）を取得することができる（ステップＳ１３）。
【００８４】
また、受贈者６は、例えばＱＲコード対応の携帯電話を使用して第２のＱＲコード３８情報を読み取ることで、贈与者２の上述したような個人画像を容易にダウンロードして楽しむこともできる。
【００８５】
この後、前記管理センターコンピュータ１３Ａの決済処理手段２７は、既述した場合と同様にして前記贈与者２に関して支払い決済情報に基づいた決済処理を行ない。
【００８６】
この場合には、電報は必要であるが、特定商品の申し込みは受贈者端末１６を使用して行いたいとする受贈者６にとって好適であり、かつ、既述した実施例の場合と同様な効果を奏し、贈与者２、受贈者６双方にとって満足度の高いカタログ選択商品贈与システム１Ａとすることができる。
【００８７】
（３）前記贈与者２から送信される前記指示情報において、当該贈与者２が電報お知らせの指定を含む印刷によるカタログ提供を選択した場合（ステップＳ３）、（ステップＳ１４）。
【００８８】
前記管理センターコンピュータ１３Ａのカタログ作成手段２３は、前記贈与者端末１２から送信される複数種の商品情報を基に当該複数種の商品情報を掲載したカタログ４１をオンデマンド方式で作成する。また、電報処理手段２５は、前記電報文情報を基にＷｅｂカタログサイトのアクセス用のＵＲＬ情報、ログイン用ＩＤ、パスワードを含む電報文書４２を作成する。贈呈案内処理手段２４は、前記カタログ４１と電報文書４２と図９に示すような特定商品及び配達日時指定用の申し込み葉書４３とを贈呈商品案内箱４０に入れて受贈者６へ配送処理する（ステップＳ１５）。
【００８９】
次に、受贈者端末１６から前記電報文書に基づいたＷｅｂカタログサイトへのログイン、住所、配達日時の通報、特定商品の情報が通報された場合（ステップＳ１６）、商品処理手段２６は、前記受贈者６からの前記各情報に応じて、前記商品販売業者４の商品販売業者端末１４に対する当該特定商品の受贈者への配送手配処理を行ない（ステップＳ１７）。商品販売業者４は、既述した場合と同様にして、例えば宅配便又は郵送等にて前記特定商品の受贈者６に対する配達を行ない（ステップＳ１８）。
【００９０】
これにより、受贈者６は、贈与者２が選定した４種の商品の中から選んだ自己が好みとする特定商品（例えばゴルフクラブ）を取得することができる（ステップＳ１９）。
【００９１】
（４）前記贈与者２から送信される前記指示情報において、前記贈与者２が葉書お知らせの指定を含む印刷によるカタログ提供を選択した場合（ステップＳ３）、（ステップＳ１４）。
【００９２】
この場合には、前記管理センターコンピュータ１３Ａのカタログ作成手段２３は、前記贈与者端末１２から送信される複数種の商品情報を基に当該複数種の商品情報を掲載したカタログ４１をオンデマンド方式で作成する。また、電報処理手段２５は、前記電報文情報を基にＷｅｂカタログサイトのアクセス用のＵＲＬ情報、ログイン用ＩＤ、パスワードを含む電報文書４２を作成する。贈呈案内処理手段２４は、前記カタログ４１と電報文書４２と図９に示すような特定商品及び配達日時指定用の申し込み葉書４３とを贈呈商品案内箱４０に入れて受贈者６へ配送処理する（ステップＳ２０）。
【００９３】
次に、受贈者６から前記申し込み葉書４３による特定商品及び配達日時の申し込みがあった場合（ステップＳ２１）、商品処理手段２６は、受贈者６からの前記各情報に応じて、前記商品販売業者４の商品販売業者端末１４に対する当該特定商品の受贈者への配送手配処理を行ない（ステップＳ２２）。
【００９４】
商品販売業者４は、既述した場合と同様にして、例えば宅配便又は郵送等にて前記特定商品の受贈者６に対する配達を行ない（ステップＳ２３）。これにより、前記受贈者６は、贈与者２が選定した４種の商品の中から選んだ自己が好みとする特定商品（例えばゴルフクラブ）を取得することができる（ステップＳ２４）。
【００９５】
以上のように、他の実施例に係るカタログ選択商品贈与システム１Ａによれば、特に受贈者６にとって特定商品の申し込みルートの選択肢が多く、受贈者端末１６を使用する者、使用しない者（例えば高齢者）等、受贈者６の年齢の如何を問わず柔軟に対応できるカタログ選択商品贈与システム１Ａとすることができる。
【００９６】
上述したカタログ選択商品贈与システム１、及び、カタログ選択商品贈与システム１Ａにおいて、管理センターコンピュータ１３（又は管理センターコンピュータ１３Ａ）に贈与者２、受贈者６の商品の選択履歴を各々記録するユーザー用履歴記録手段を設け、贈与者２、受贈者６の購買履歴、選択履歴の管理を行ないようにすることもでき、これにより、カタログ選択商品の履歴管理に基づいた販売促進を図ることも可能となる。
【００９７】
また、贈与者２から受贈者６に関する記念日（誕生日等）の情報を収集し、毎年当該受贈者６の誕生日の一週間前に、管理センターコンピュータ１３（又は管理センターコンピュータ１３Ａ）から電子メールで受贈者６に対して商品案内メールを送信しカタログサイトへ誘導することで、カタログ選択商品の販売促進を図ることも可能となる。
【００９８】
更に、贈与者２の商品購入、受贈者６の商品選択に応じて、贈与者２、受贈者６に感謝ポイント（例えば商品代金の１％等）を与える等のサービスを、贈与者２、受贈者６に提供し、これを通じてカタログ選択商品の販売促進を図ることも可能である。
【００９９】
次に、本発明に係るカタログ選択商品贈与システム１の別の実施例であるカタログ選択商品贈与システム１Ｂについて、図１５を参照して説明する。
【０１００】
このカタログ選択商品贈与システム１Ｂは、贈与者２と贈与品管理センター３の間で商品に関するポイント購入及び一括代金決済処理を行ないようにしたことが主たる特徴である。
【０１０１】
すなわち、本実施例に係るカタログ選択商品贈与システム１Ｂは、上述したカタログ選択商品贈与システム１Ａの場合と基本的には同様な構成であるが、贈与者２が受贈者６に送るポイント（例えば５０００円で６０００ポイント等）を贈与品管理センター３から代金一括決済処理で購入すること、管理センターコンピュータログイン用のＩＤ、パスワード、ポイント数の電報文書４２への記載を行ってカタログ４１と電報文書４２とを贈呈商品案内箱４０に入れて受贈者６へ配送する処理、又は、カタログ４１を贈呈商品案内箱６０に入れて受贈者６へ配送する処理と管理センターコンピュータログイン用のＩＤ、パスワード、ポイント数を受贈者６へメール配信する処理を行ないこと、受贈者６はポイント数の範囲内でＷｅｂサイトを通じて特定商品を選択すること、が特徴であり、この他は上述したカタログ選択商品贈与システム１Ａの場合と同様である。  
【０１０２】
本実施例に係るカタログ選択商品贈与システム１Ｂによれば、贈与者２が受贈者６に送るポイントを贈与品管理センター３から代金一括決済処理で購入するように構成したので贈与者２、贈与品管理センター３間の代金決済処理が簡略化する。また、受贈者６は特定商品を選択後にポイント残が発生した場合にはこれを保留し、後に別の商品を購入することも可能となる。
【０１０３】
なお、本実施例に係るカタログ選択商品贈与システム１Ｂにおいて、上述したポイントによる商品購入に関して、他社（クレジット会社、航空会社が運営するポイントシステムとの連携を図ったシステムとすることも可能である。
【０１０４】
次に、本発明に係るカタログ選択商品贈与システム１の更に別の実施例であるカタログ選択商品贈与システム１Ｃについて、図１６を参照して説明する。
【０１０５】
本実施例であるカタログ選択商品贈与システム１Ｃは、上述したカタログ選択商品贈与システム１Ｂと略同様であるが、贈与品管理センター３でカタログ４１を作成しないこと、贈与者２が受贈者６に送るポイント（例えば５０００円で６０００ポイント等）を贈与品管理センター３から代金一括決済処理で購入すること、管理センターコンピュータログイン用のＩＤ、パスワード、ポイント数の電報文書４２への記載を行って電報文書４２を贈呈商品案内箱４０に入れて受贈者６へ配送する処理、又は、管理センターコンピュータログイン用のＩＤ、パスワード、ポイント数を受贈者６へメール配信する処理を行ないこと、受贈者６はポイント数の範囲内でＷｅｂサイトを通じて多数の商品の中から特定商品を選択することが特徴であり、この他は上述したカタログ選択商品贈与システム１Ｂの場合と同様である。
【０１０６】
本実施例に係るカタログ選択商品贈与システム１Ｃによれば、贈与品管理センター３でカタログ４１を作成しない簡略なシステム構成の基に上述したカタログ選択商品贈与システム１Ｂの場合と同様な効果を発揮させることができる。
【０１０７】
次に、本発明に係るカタログ選択商品贈与システム１の更に他の実施例であるカタログ選択商品贈与システム１Ｄについて、図１７を参照して説明する。
【０１０８】
本実施例に係るカタログ選択商品贈与システム１Ｄは、上述したカタログ選択商品贈与システム１Ｂの場合と基本的には同様な構成であるが、贈与者６に送電報文書４２に贈与者２の例えば結婚式における新郎新婦の姿や海外挙式での様子、孫の姿、ペットの様子等のような静止画又は動画からなる個人画像ダウンロード用の情報を記録した予め登録済みの図１３に示すような第２のＱＲコード３８を贈与者画像用携帯ＱＲコードとして、また、贈与者２の携帯メールアドレスに関連付けた携帯ＱＲコードとを付して受贈者６に送り。携帯電話からなる受贈者端末１６による贈与者画像用携帯ＱＲコードの読み取りにより前記贈与者２自身の動画又は静止画の画像情報のダウンロードの実行と、携帯電話からなる受贈者端末１６による前記携帯ＱＲコードの読み取りによって、受贈者６自身の贈与者２に対するお礼用の動画又は静止画の贈与者端末１２へ送信を可能としたものである。
【０１０９】
本実施例に係るタカログ選択商品贈与システム１Ｄによれば、上述したタカログ選択商品贈与システム１Ｂの場合と同様な効果を奏し、更に贈与者２、受贈者６間で画像の送受も容易に行ないことができ、贈与者２、受贈者６双方の親近感を高めることもできるシステムとすることができる。
【産業上の利用可能性】
【０１１０】
本発明は、例えば企業等が多数の株主等に記念商品を贈呈するような場合に、当該株主が好むような商品群をＷｅｂサイトにより当該企業に提供し、企業が選定した複数の商品を掲載したカタログを株主に送り、当該株主の選定した特定の記念商品を当該株主に贈るようなシステム等として広範に応用可能である。
【図面の簡単な説明】
【０１１１】
【図１】本発明の実施例に係るカタログ選択商品贈与システム全体のシステム構成を示す概略ブロック図である。
【図２】本実施例に係るカタログ選択商品贈与システムにおける管理センターコンピュータの概略ブロック図である。
【図３】本実施例に係るカタログ選択商品贈与システムにおける贈与者端末の画面に提供される多数の贈与商品情報の一例を示す図である。
【図４】本実施例に係るカタログ選択商品贈与システムにおける贈与者端末への各種入力情報を示す図である。
【図５】本実施例における電報文書を綴じ込む電報文ファイルを示す説明図である。
【図６】本実施例における電報文書の一例を示す説明図である。
【図７】本実施例における電報文ファイルの表面図である。
【図８】本実施例におけるカタログを示す表面図である。
【図９】本実施例における申し込み葉書を示す表面図である。
【図１０】本実施例における贈呈商品案内箱の説明図である。
【図１１】本実施例に係るカタログ選択商品贈与システムの処理の流れを示す説明図である。
【図１２】本発明の他の実施例に係るカタログ選択商品贈与システムにおける管理センターコンピュータの概略ブロック図である。
【図１３】本発明の他の実施例に係るカタログ選択商品贈与システムにおける電報文書の一例を示す説明図である。
【図１４】本発明の他の実施例に係るカタログ選択商品贈与システムにおける処理の流れを示すフローチャートである。
【図１５】本発明の別の実施例に係るカタログ選択商品贈与システムにおける処理の流れを示す説明図である。
【図１６】本発明の更に別の実施例に係るカタログ選択商品贈与システムにおける処理の流れを示す説明図である。
【図１７】本発明の更に他の実施例に係るカタログ選択商品贈与システムにおける処理の流れを示す説明図である。
【符号の説明】
【０１１２】
１    カタログ選択商品贈与システム
１Ａ  カタログ選択商品贈与システム
２    贈与者
３    贈与品管理センター
４    商品販売業者
５    金融機関
６    受贈者
１１    通信網
１２    贈与者端末
１３    管理センターコンピュータ
１３Ａ  管理センターコンピュータ
１４    商品販売業者端末
１５    金融機関端末
１６    受贈者端末
２１    通信処理手段
２２    Ｗｅｂサーバ
２３    カタログ作成手段
２３ａ  カラープリンタ
２４    贈呈案内処理手段
２５    電報処理手段
２６    商品処理手段
２７    決済処理手段
２８    データ記録手段
２９    入力端末
３０    内部通信網
３１    商品情報データベース
３２    贈与者データベース
３３    受贈者データベース
３４    電報文データベース
３５    データベース制御部
３６    電子メールサーバ
３７    第１のＱＲコード
３８    第２のＱＲコード
４０    贈呈商品案内箱
４１    カタログ
４２    電報文書
４３    申し込み葉書
４４    電報文ファイル
４５    表紙
４６    裏紙
４７    切り込み
４８    第１箱部
４８ａ  第１収納凹部
４９    第２箱部
４９ａ  第２収納凹部
【図１】
2009009349.tif 000003
【図２】
2009009349.tif 000004
【図３】
2009009349.tif 000005
【図４】
2009009349.tif 000006
【図５】
2009009349.tif 000007
【図６】
2009009349.tif 000008
【図７】
2009009349.tif 000009
【図８】
2009009349.tif 000010
【図９】
2009009349.tif 000011
【図１０】
2009009349.tif 000012
【図１１】
2009009349.tif 000013
【図１２】
2009009349.tif 000014
【図１３】
2009009349.tif 000015
【図１４】
2009009349.tif 000016
【図１５】
2009009349.tif 000017
【図１６】
2009009349.tif 000018
【図１７】
2009009349.tif 000019